(57)【要約】【課題】スライドショーの再生モード時にプリストップ操作が行われたときに、プリストップ解除後の静止画像の途切れや変異を防止する。【解決手段】ディスク媒体に記録された情報をピックアップ部によって読取り、読取られた情報から画像・音声データを再生するとともに、ディスク媒体に記録されたＶＯＢＵに含まれているシーケンス・エンド・コードを検出するデータ再生部と、静止画像データと音声データをデコードして表示部及び音声出力部に供給しスライドショーの再生を可能にした映像・音声デコーダと、ユーザによって操作可能な操作部と、ディスク媒体の再生中にシーケンス・エンド・コードを検出することによりスライドショーの再生判別を行い、操作部の操作に応答してスライドショーの再生モードでの表示形態を制御する制御部と、を具備して成る。【選択図】図１
2008219775.tif 000002
【特許請求の範囲】
【請求項１】
ディスク媒体に記録された情報を読取るピックアップ部と、
前記ピックアップ部により読取られた情報から画像・音声データを再生するとともに、前記ディスク媒体に記録されたビデオ・オブジェクト・ユニット（ＶＯＢＵ）に含まれているシーケンス・エンド・コード（Sequence＿end＿code）を検出するデータ再生部と、
前記データ再生部によって再生した静止画像データと音声データをデコードして表示部及び音声出力部に供給し、スライドショーの再生を可能にした映像・音声デコーダと、
ユーザによって操作可能な操作部と、
前記ディスク媒体の再生中に前記シーケンス・エンド・コードを検出することにより前記スライドショーの再生判別を行い、前記操作部の操作に応答して前記スライドショーの再生モードでの表示形態を制御する制御部と、を具備して成ることを特徴とするディスク再生装置。
【請求項２】
前記制御部は、前記操作部の操作に応答して前記映像・音声デコーダを制御し、
前記操作部によって再生操作がなされたときは、前記ディスク媒体に記録された静止画像データを順次に読取ってスライドショーの再生を行い、
前記操作部によってプリストップ操作がなされたときは、前記スライドショーの再生を停止し、停止する前に再生していた静止画像データを記憶部に記憶し、
前記プリストップモードが解除されたときに、前記記憶部に記憶した静止画データを読み出して再生することを特徴とする請求項１記載のディスク再生装置。
【請求項３】
前記制御部は、前記操作部の操作に応答して前記映像・音声デコーダを制御し、
前記操作部によって再生操作がなされたときは、前記ディスク媒体に記録された静止画像データを順次に読み取ってスライドショーの再生を行い、
前記操作部によってプリストップ操作がなされたときは、プリストップ操作前に再生していた静止画像データをポーズ状態で表示し、
前記プリストップモードが解除されたときには、新たな静止画データを読取るまでの間ポーズ状態を維持することを特徴とする請求項１記載のディスク再生装置。
【請求項４】
ディスク媒体に記録された情報を読取るピックアップ部と、
前記ピックアップ部により読取られた情報から画像・音声データを再生するとともに、前記ディスク媒体に記録されたビデオ・オブジェクト・ユニット（ＶＯＢＵ）に含まれているシーケンス・エンド・コード（Sequence＿end＿code）を検出するデータ再生部と、
前記データ再生部によって再生した静止画像データと音声データをデコードして表示部及び音声出力部に供給し、スライドショーの再生を可能にした映像・音声デコーダと、
ユーザによって操作可能な操作部と、
前記ディスク媒体の再生中に前記シーケンス・エンド・コードを検出することにより、前記スライドショーの再生モードを判別し、前記判別結果に基づいて前記スライドショーの再生モード時にメッセージを報知する制御部と、を具備したことを特徴とするディスク再生装置。
【請求項５】
前記制御部は、前記判別結果に基づいて前記スライドショーの再生中であることを示すメッセージを前記表示部に表示することを特徴とする請求項４記載のディスク再生装置。
【請求項６】
前記制御部は、前記操作部の操作に応答して前記映像・音声デコーダを制御し、
前記操作部によって再生操作がなされたときは、前記ディスク媒体に記録された静止画像データを順次に読取ってスライドショーの再生を行い、
前記操作部によってプリストップ操作がなされたときは、前記スライドショーの再生中はプリストップ操作の不可を示唆するメッセージを表示することを特徴とする請求項４記載のディスク再生装置。
【請求項７】
前記制御部は、前記操作部の操作に応答して前記映像・音声デコーダを制御し、
前記操作部によって再生操作がなされたときは、前記ディスク媒体に記録された静止画像データを順次に読取ってスライドショーの再生を行い、
前記操作部によってプリストップ操作がなされたときは、前記スライドショーを解除後の画像に変異が生じる可能性を示唆するメッセージを表示することを特徴とする請求項４記載のディスク再生装置。
【請求項８】
前記制御部は、前記操作部によってプリストップ操作がなされたときに報知するメッセージを複数用意し、ユーザによって選択されたメッセージを表示するように設定可能にしたことを特徴とする請求項４記載のディスク再生装置。
【発明の詳細な説明】
【技術分野】
【０００１】
本発明は、ディスク媒体であるＤＶＤ（Digital Versatile Disk）に記録された情報を再生するディスク再生装置に係り、特にスライドショーの再生を可能にしたディスク再生装置に関する。
【背景技術】
【０００２】
近年、ＤＶＤ−Ｖｉｄｅｏ規格又はＤＶＤ−Ａｕｄｉｏ規格に準拠した光ディスク媒体（以下ＤＶＤと称す）に対して音声信号や映像信号等の情報を記録し、それを再生するディスク再生装置が普及している。このようなディスク再生装置の再生処理機能の１つとして、スライドショーの機能がある。
【０００３】
スライドショーは、ＤＶＤ−Ｖｉｄｅｏ及びＤＶＤ−Ａｕｄｉｏのビデオゾーンに記録されたスライドショー用の静止画信号と音声信号をデコードして、静止画像を表示しながら同時に音声を再生するものであり、所定の時間間隔毎に静止画像を切替えて表示する機能である。スライドショーの再生は、音楽を重視して映像の変化が少ないため、車載用の再生機器等に適している。
【０００４】
特許文献１には、スライドショー機能を有する情報再生装置の一例が記載されている。
【０００５】
ところで従来のディスク再生装置では、プリストップ機能（PRE-STOP）を有したものがある。プリストップ機能は、動画再生中又はスライドショーの再生中に停止ボタンを操作し、停止ボタンを１回押すとその再生位置を記憶し、現在表示中の画像を消去するとともに音声を停止するものであり、その後、再生ボタンを押すことで、停止した位置から再生を再開する機能である。尚、停止ボタンを２回または例えば２秒以上押すことで完全に再生を停止することができる。
【０００６】
図７は、従来のディスク再生装置におけるスライドショーの再生動作を説明するタイミングチャートであり、（ａ）は通常のスライドショーのモードを示し、（ｂ）はプリストップ操作の後にスライドショーを再開した時の動作を示すものである。
【０００７】
図７において、横軸は時間軸を示している。スライドショー用の静止画像データ(Ｓ１，Ｓ２…Ｓｎ)は、所定の時間間隔で再生するようにナビゲーション情報がディスク媒体に記憶されている。
【０００８】
スライドショーの再生時は、図７（ａ）に示すように所定間隔で記録されている静止画像データ（Ｓ１，Ｓ２…Ｓｎ）を順次に読取り、新たな静止画像データが読み込まれるまでは同じ静止画像を繰り返し表示するようにしている。このとき音声信号Ａ１は途切れることなく再生される。
【０００９】
一方、スライドショーをプリストップした場合は、図７（ｂ）のように、プリストップの操作タイミングＴ１で再生復帰箇所を記憶し、画像を消去し音声の再生を停止する。その後スライドショーを再開する場合は、再生ボタンを押すことで再びプリストップした位置から再生を開始する。
【００１０】
しかしながら、再び、プリストップ箇所Ｔ１から再生をしようとした場合、再生復帰箇所には静止画像データが記録されていないため、次の静止画像の更新タイミングＴ２に到達するまでは、無画状態で音声のみを再生してしまう。尚、動画再生の場合はプリストップして、その後同じ位置から再生する場合、対応する画像及び音声のデータが共に存在するので、再生復帰しても何ら支障はない。
【００１１】
このように、スライドショーの再生中にプリストップし、その後再生する場合、一時的に静止画像の表示が途切れるという不具合がある。これを解消するため、再生復帰時に近くの静止画像の位置から再生するという方法も考えられる。例えば、図７（ｂ）のｔ１でプリストップを解除した場合は、静止画像データＳ１の記録位置に戻って再生を開始し、ｔ２でプリストップを解除した場合は、静止画像データＳ２の記録位置に戻って再生を開始すればよい。しかしながら、このような方法を採っても、ユーザがプリストップした地点とは異なる箇所から再生復帰するため、違和感を与えてしまう。
【特許文献１】再公表特許公開ＷＯ２００４／１１４６５７号公報
【発明の開示】
【発明が解決しようとする課題】
【００１２】
従来のディスク再生装置では、スライドショーの再生中にプリストップ操作を行い、その後再生をする場合、一時的に静止画像の表示が途切れたり、ユーザがプリストップした地点とはズレタ位置から再生復帰するため、ユーザに不安感や違和感を与えてしまうという欠点があった。
【００１３】
本発明は、このような事情に鑑みて、プリストップ解除後の静止画像の途切れや変異を防止し、またスライドショーの再生中にプリストップ操作が行われたときに適切なメッセージを報知するディスク再生装置を提供することを目的とする。
【課題を解決するための手段】
【００１４】
請求項１記載の本発明のディスク再生装置は、ディスク媒体に記録された情報を読取るピックアップ部と、前記ピックアップ部により読取られた情報から画像・音声データを再生するとともに、前記ディスク媒体に記録されたビデオ・オブジェクト・ユニット（ＶＯＢＵ）に含まれているシーケンス・エンド・コード（Sequence＿end＿code）を検出するデータ再生部と、前記データ再生部によって再生した静止画像データと音声データをデコードして表示部及び音声出力部に供給し、スライドショーの再生を可能にした映像・音声デコーダと、ユーザによって操作可能な操作部と、前記ディスク媒体の再生中に前記シーケンス・エンド・コードを検出することにより前記スライドショーの再生判別を行い、前記操作部の操作に応答して前記スライドショーの再生モードでの表示形態を制御する制御部と、を具備して成ることを特徴とする。
【００１５】
また、請求項４記載の本願発明のディスク再生装置は、ディスク媒体に記録された情報を読取るピックアップ部と、前記ピックアップ部により読取られた情報から画像・音声データを再生するとともに、前記ディスク媒体に記録されたビデオ・オブジェクト・ユニット（ＶＯＢＵ）に含まれているシーケンス・エンド・コード（Sequence＿end＿code）を検出するデータ再生部と、前記データ再生部によって再生した静止画像データと音声データをデコードして表示部及び音声出力部に供給しスライドショーの再生を可能にした映像・音声デコーダと、ユーザによって操作可能な操作部と、前記ディスク媒体の再生中に前記シーケンス・エンド・コードを検出することにより、前記スライドショーの再生モードを判別し、前記判別結果に基づいて前記スライドショーの再生モード時にメッセージを報知する制御部と、を具備したことを特徴とする。
【発明の効果】
【００１６】
本発明のディスク再生装置では、スライドショー再生モードにおいて、プリストップ操作が解除されたときに違和感のない静止画像を表示することができる。またスライドショー再生モードにおいて、プリストップ操作が行われたときに適切なメッセージを報知することができる。
【発明を実施するための最良の形態】
【００１７】
以下、この発明のディスク再生装置の一実施形態について図面を参照して説明する。
【実施例１】
【００１８】
図１は本発明のディスク再生装置１００の全体構成を示すブロック図である。図１において、１はディスク媒体（ＤＶＤ）であり、モータ２によって一定の線速度で回転される。ディスク媒体１に対する情報の記録、再生は、光ピックアップ３によって行われる。光ピックアップ３は、リニアモータ４によってディスク媒体１の径方向に駆動され、リニアモータ４は、リニアモータ制御回路５により制御される。
【００１９】
光ピックアップ３には、対物レンズ３１が設けられ、この対物レンズ３１は、アクチュエータ３２によってフォーカシング方向（レンズ３１の光軸方向）への移動とトラッキング方向（レンズ３１の光軸と直交する方向）への移動が制御される。
【００２０】
ディスク媒体１への情報の書き込みは、半導体レーザ発振器３３から発せられた光ビームを、ビームスプリッタ３４を介してディスク媒体１に照射して行い、ディスク媒体１からの情報の読取り（リード）は、ディスク媒体１からの反射光を、対物レンズ３１、ビームスプリッタ３４、集光レンズ３５、及びシリンドリカルレンズ３６を介して、光検出器３７に導くことによって行う。
【００２１】
半導体レーザ発振器３３は、レーザ制御回路６によって駆動制御され、半導体レーザ発振器３３から発せられる光ビームは、コリメータレンズ３８、ビームスプリッタ３４、対物レンズ３１を介してディスク媒体１上に照射される。レーザ制御回路６は、半導体レーザ発振器３３から発せられる光ビームを記録／再生に応じて制御する。
【００２２】
光検出器３７は、例えば４分割の光検出セルから成り、各光検出セルの出力信号は、電流／電圧変換用のアンプを介して信号処理回路３８に供給される。信号処理回路３８は、光検出器３７の出力信号を基に、フォーカス制御用の信号、トラッキング制御用の信号、及びデータ再生用の信号を出力する。
【００２３】
フォーカス制御用の信号は、フォーカシング制御回路７に供給され、フォーカシング制御回路７の出力信号は、アクチュエータ３２に供給される。これにより、光ビームが、ディスク媒体１上に常時ジャストフォーカスとなるような制御がなされる。
【００２４】
また、トラッキング制御用の信号はトラッキング制御回路８に供給される。トラッキング制御回路８は、トラック駆動信号を作成してアクチュエータ３２に供給する。これにより、光ピックアップ３のトラッキング方向の移動が制御される。また、トラッキング制御回路８からのトラック駆動信号は、リニアモータ制御回路５にも供給される。 
トラッキング制御回路８によって対物レンズ３１が移動されているとき、リニアモータ制御回路５によりモータ４を制御することで、対物レンズ３１が光ピックアップ３内の中心位置近傍に位置するよう光ピックアップ３が移動制御される。また、モータ２はモータ制御回路９によって制御される。
【００２５】
また、信号処理回路３８からのデータ再生用の信号は、増幅回路１０を介してデータ再生回路１１に供給される。データ再生回路１１は、増幅回路１０の出力をデジタル化し、デジタル化された信号をＰＬＬ回路１２からの再生用クロックに基づき、記録データを再生する。
【００２６】
リニアモータ制御回路５、レーザ制御回路６、フォーカシング制御回路７、トラッキング制御回路８、モータ制御回路９、データ再生回路１１、ＰＬＬ回路１２は、バス１３に接続され、これらの回路はバス１３を介してコントローラ１４によって制御される。
【００２７】
コントローラ１４はＣＰＵ１４１を含み、このＣＰＵ１５は、ＲＯＭ１５に記録されたプログラムに従って所定の動作を行う。また、バス１３にはＲＡＭ１６が接続され、プログラムの実行により処理されたデータ等を記憶するようにしている。
【００２８】
さらにバス１３には、操作部１７及び映像・音声デコーダ１８が接続されている。操作部１７はユーザによって操作され、例えば再生ボタン１７１、停止ボタン１７２、早戻しボタン１７３、早送りボタン１７４、パワーボタン１７５等を有している。
【００２９】
映像・音声デコーダ１８は、データ再生回路１１で再生したデータから、映像信号及び音声信号をデコードし、映像信号を表示部１９に供給し、音声信号を音声出力部（スピーカ）２０に供給する。また、映像・音声デコーダ１８は、操作部１７の操作に応答してコントローラ１４の制御のもとに、通常の再生や、スライドショーの再生に対応したモードで映像、音声信号を生成する。また映像・音声デコーダ１８には記憶部（メモリ）２１が接続されている。
【００３０】
本発明のディスク再生装置１００では、ディスク媒体１のビデオ・オブジェクト・ユニット（ＶＯＢＵ）内に含まれるシーケンス・エンド・コード（Sequence＿end＿code）を検出して、スライドショーの再生モードであることを判断し、プリストップの操作が成されたときの処理を通常処理とは異なるようにした点と、スライドショーの再生中であることをユーザに視覚的に報知する点に特徴がある。
【００３１】
図２は、ＤＶＤデータの階層構造を示す図であり、シーケンス・エンド・コードを説明するための図である。
【００３２】
ディスク媒体１（ＤＶＤ１）に記録されるデータの階層構造は、ＤＶＤ−Ｖ規格に準拠して定められており、図２に示すように、ＤＶＤビデオエリアには、ビデオマネージャ（ＶＭＧ）及び多数のビデオ・タイトルセット（ＶＴＳ）のデータが記録されている。ＶＭＧにはＶＴＳを管理するデータが記述されており、ＶＭＧの内容は、コントローラ１４に格納される。
【００３３】
ＶＴＳは、ビデオ・タイトルセット情報（ＶＴＳＩ）、ビデオ・タイトルセット・メニュー用ビデオ・オブジェクトセット（ＶＴＳＭ＿ＶＯＢＳ）、ビデオタイトルセット・タイトル用ビデオ・オブジェクトセット（ＶＴＳＴＴ＿ＶＯＢＳ）、ビデオ・タイトルセット情報のバックアップ（ＶＴＳＩ＿ＢＵＰ）等を含んでいる。
【００３４】
またＶＴＳＴＴ＿ＶＯＢＳは、複数のビデオ・オブジェクト・アイデンティフィケーション・ナンバー（ＶＯＢ＿ＩＤＮ）によって構成されており、ＶＯＢ＿ＩＤＮに含まれるデータの階層構造は、複数のＣｅｌｌによって構成されている。
【００３５】
Ｃｅｌｌは、複数のビデオ・オブジェクト・ユニット（ＶＯＢＵ）から構成されており、ＶＯＢＵは、ナビゲーション・パック（ＮＶ＿ＰＣＫ）、オーディオ・パック（Ａ＿ＰＣＫ）、ビデオ・パック（Ｖ＿ＰＣＫ）、サブピクチャ・パック（ＳＰ＿ＰＣＫ）によって構成されている。Ｖ＿ＰＣＫ、Ａ＿ＰＣＫ、ＳＰ＿ＰＣＫは、ＶＯＢＵに複数含まれている。そして、Ｖ＿ＰＣＫ，Ａ＿ＰＣＫ，ＳＰ＿ＰＣＫは、それぞれビデオデータ、音声データ、字幕等のデータを、個別に圧縮・符号化して記録している。
【００３６】
またＮＶ＿ＰＣＫは、ＶＯＢＵに必ず１つ含まれており、ＮＶ＿ＰＣＫは、プレゼンテーション・コントロール情報パケット（ＰＣＩ＿ＰＫＴ）と、データ・サーチ情報パケット（ＤＳＩ＿ＰＫＴ）等から構成され、Ｖ＿ＰＣＫ、Ａ＿ＰＣＫ、ＳＰ＿ＰＣＫのアドレスデータと、通常再生や特殊再生の処理を円滑に行うための付加情報が記録されている。
【００３７】
さらにＰＣＩ＿ＰＫＴには、ＶＯＢＵの再生を制御するナビゲーション・データであるＰＣＩが記述されており、ＰＣＩには、シーケンス・エンド・コード（Sequence＿end＿code）が記録されている。
【００３８】
シーケンス・エンド・コードは、ＶＯＢＵ内のビデオデータの再生終了時刻を記述したものであり、動画の場合には画像データが常に更新されるので最終画像だけに付加されるコードである。また、スライドショーの場合には、次の静止画像迄に時間間隔があるので、静止画像の終了を表すため必ず使われるコードである。したがって、再生中のＶＯＢＵからシーケンス・エンド・コードを検出できれば、スライドショーの再生中であると判断することができる。
【００３９】
本発明は、この点に着目したものであり、ディスク媒体１の再生中にシーケンス・エンド・コードを検出することで各種の処理を行うものである。尚、シーケンス・エンド・コードは、データ再生回路１１によって検出することができ、検出結果はコントローラ１４に伝えられる。コントローラ１４は、検出結果に応答して映像・音声デコーダ１８を制御し、各種のメッセージを報知するための制御部を構成する。
【００４０】
以下の説明では、シーケンス・エンド・コード（Sequence＿end＿code）を便宜上、エンドコードと略称して説明する。
【００４１】
図３は、本発明のディスク再生装置１００のスライドショーの再生モードを説明する図である。スライドショー用の静止画像データ（Ｓ１，Ｓ２，Ｓ３…Ｓｎ）は、所定の時間間隔でディスク媒体１に記録されており、静止画像の表示更新タイミングの期間に記録されている。また音声データＡ１は継続して記録されている。
【００４２】
したがって再生ボタン１７１が操作され、ディスク媒体１に記録されているエンドコードを有するＶＯＢＵが再生された場合、スライドショーによる再生が実行される。このとき、所定間隔で記録されている静止画データ（Ｓ１，Ｓ２，Ｓ３…Ｓｎ）を順次に読取り、次の静止画データが読取られるまでは前の静止画像を繰り返し表示するようにしている。また音声信号Ａ１は途切れることなく再生される。また前述したエンドコードが検出されるため、この検出結果を利用してコントローラ１４はスライドショーのモードであると判断する。
【００４３】
一方、操作部１７を操作して停止ボタン１７２を１回だけ押した場合は、スライドショーをプリストップした状態になる。このプリストップのタイミングを例えばＴ１とする。プリストップの操作タイミングＴ１で再生復帰箇所がＲＡＭ１６に記憶され、そのときに表示していた静止画像データＳ１は記憶部（メモリ）２１に書き込まれ一時保存される。
【００４４】
次に（例えばタイミングｔ１で）再生ボタン１７１が操作されると、スライドショーが再開され、タイミングＴ１でメモリ２１に書き込まれた静止画像データＳ１が読み出される。これにより表示部１８にはプリストップしたときの静止画像が繰り返し表示される。そして次の静止画像データＳ２がディスク媒体１から読取られると、タイミングＴ２以降は新たな静止画像が表示される。また音声信号も同時に再生される。
【００４５】
また図４は、本発明のディスク再生装置１００のスライドショーでの別の再生モードを説明する図である。
【００４６】
図４において、再生ボタン１７１が操作され、ディスク媒体１に記録されているエンドコードを有するＶＯＢＵが再生された場合、スライドショーによる再生が実行される。また前述したエンドコードが検出されるため、この検出結果を利用してコントローラ１４はスライドショーのモードであると判断する。
【００４７】
一方、操作部１７を操作して停止ボタン１７２を１回だけ押した場合は、スライドショーをプリストップした状態になる。このプリストップのタイミングを例えばＴ１とすると、通常のプリストップ処理は行わず、ポーズ（Pause：一時停止）の状態にし、プリストップ時の表示画像を被せて表示する。尚、このとき音声は停止する。したがってプリストップ状態であるが、実動作はポーズ状態になる。
【００４８】
そして次に（例えばタイミングｔ１で）再生ボタン１７１が操作されると、次の静止画データＳ２がディスク媒体１から読み込まれるまでポーズ状態とし、タイミングＴ２で静止画データＳ２が読取られることにより、新たな静止画像が表示されることになる。また音声信号は、再生ボタン１７１が操作された直後にポーズ箇所から再生される。
【００４９】
こうして本発明では、プリストップ操作が解除されたときに違和感のない静止画像を表示することができる。また音声信号も同時に再生される。
【実施例２】
【００５０】
図５，図６は、本発明のディスク再生装置１００の第２実施例を説明する図であり、スライドショーでの別の再生モードを説明する図である。
【００５１】
この実施例では、ディスク媒体１の再生中に前述したエンドコードが検出されたとき、この検出結果を利用してコントローラ１４はスライドショーのモードであると判断し、表示部１８にユーザに向けてメッセージを表示するようにしたものである。
【００５２】
即ち、エンドコードを持つＶＯＢＵが再生されると、コントローラ１４はスライドショーのモードであると判別し、表示部１８に現在の再生モードとして、「スライドショー再生中」等の表示Ｍ１を行う。
【００５３】
また、スライドショー再生中にプリストップの操作を行った場合に、プリストップの動作をユーザに選択させるものである。
【００５４】
即ち、図５で示すように、スライドショー再生中はプリストップの動作を禁止する旨のメッセージ、例えば、「スライドショーの再生中はプリストップすることができません」のようにメッセージＭ２を表示し、プリストップ操作を受け付けないようにする。
【００５５】
或いは、図６に示すように、スライドショー再生中にプリストップ操作した場合は、「スライドショーを再開したとき、画像が変異する場合があります」等のメッセージＭ３を表示し、ユーザに予め報知するものである。このときは、例えば図７（ｂ）で説明したようなスライドショーの再開となるが、ユーザは既に了解しているため、違和感を低減することができる。
【００５６】
また、図５のようなメッセージＭ２を表示するか、図６のようなメッセージＭ３を表示するかをユーザが選択可能にして、選択されたメッセージを表示するようにプリセットするようにしても良い。
【００５７】
このように、本発明のディスク再生装置では、スライドショー再生中のプリストップ操作によって、ユーザの意図しない動作となることを防止することができる。
【００５８】
尚、以上の説明では、停止ボタン１７２を１回押すことでプリストップのモードになる例を説明したが、プリストップ用の専用ボタンを設けても良く、操作部１７のボタン配置は任意である。
【００５９】
また図６の例では、スライドショーを再開したとき、「画像が変異する場合があります」等のメッセージを表示する例を述べたが、グラフィカル・ユーザ・インターフェース（ＧＵＩ)を付加して、表示部１８にさらに「プリストップを実行しますか」、「はい」「いいえ」等を表示し、ユーザが選択できるようにしても良い。
【００６０】
また以上の説明に限定されることなく、特許請求の範囲を逸脱しない範囲内で種々の変形が可能である。
【図面の簡単な説明】
【００６１】
【図１】本発明のディスク再生装置の一実施形態を示す全体構成図。
【図２】同実施形態のディスク媒体に記録されるデータの階層構造を説明する図。
【図３】同実施形態におけるスライドショーの再生動作を説明する説明図。
【図４】同実施形態におけるスライドショーの別の再生動作を説明する説明図。
【図５】本発明のディスク再生装置の他の実施形態におけるスライドショーの再生動作を説明する説明図。
【図６】他の実施形態におけるスライドショーの別の再生動作を説明する説明図。
【図７】従来のディスク再生装置におけるスライドショーの再生動作を説明する説明図。
【符号の説明】
【００６２】
１…ディスク媒体
２…モータ
３…光ピックアップ
４…リニアモータ
５…リニアモータ制御回路
６…レーザ制御回路
７…フォーカシング制御回路
８…トラッキング制御回路
９…モータ制御回路
１０…増幅回路
１１…データ再生回路
１２…ＰＬＬ回路
１３…バス
１４…コントローラ
１５…ＲＯＭ
１６…ＲＡＭ
１７…操作部
１８…映像・音声デコーダ
１９…表示部
２０…音声出力部
２１…記憶部
【図１】
2008219775.tif 000003
【図２】
2008219775.tif 000004
【図３】
2008219775.tif 000005
【図４】
2008219775.tif 000006
【図５】
2008219775.tif 000007
【図６】
2008219775.tif 000008
【図７】
2008219775.tif 000009